Podtech/llm-jp-corpus-v4-ja_patent huggingface dataset:
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
光ファイバー給電システムの給電光の出力端に配置された光コネクタであって、
接続動作に連動して開き当該接続を可能とするとともに離脱動作に連動して閉じられて給電光の出射を遮るシャッターを有し、閉じられている時の当該シャッターの給電光の受光面が波長変換材により構成された光ファイバー給電システムの光コネクタ。
【請求項２】
請求項１に記載の光コネクタを給電光の出力端に有し、電力によりレーザー発振して給電光を出力する半導体レーザーを含む給電装置であって、前記半導体レーザーの光‐電気間の変換効果を奏する半導体領域を構成する半導体材料が、レーザー波長５００ｎｍ以下のレーザー媒体とされた光ファイバー給電システムの給電装置。
【請求項３】
接続動作に連動して開き当該接続を可能とするとともに離脱動作に連動して閉じられて給電光の出射を遮るシャッターを有し、閉じられている時の当該シャッターの給電光の受光面が鏡面とされた光コネクタ、又は請求項１に記載の光コネクタを給電光の出力端に有し、電力によりレーザー発振して給電光を出力する半導体レーザーを含む給電装置であって、前記半導体レーザーの光‐電気間の変換効果を奏する半導体領域を構成する半導体材料が、レーザー波長５００ｎｍ以下のレーザー媒体とされ、
前記シャッターから放射される戻り光を検出することによりコネクタ外れを検出し、前記給電光の出力を停止する制御装置を備える光ファイバー給電システムの給電装置。
【請求項４】
請求項２に記載の給電装置と、
当該給電装置による給電光を電力に変換する光電変換素子を含む受電装置と、
一端が前記給電装置に接続可能とされ他端が前記受電装置に接続可能とされ前記給電光を伝送する光ファイバーケーブルとを備え、
接続動作に連動して開き当該接続を可能とするとともに離脱動作に連動して閉じられて給電光の出射を遮るシャッターを有し、閉じられている時の当該シャッターの給電光の受光面が鏡面とされた光コネクタ、又は請求項１に記載の光コネクタを前記光ファイバーケーブルの前記他端に有する光ファイバー給電システム。
【請求項５】
接続動作に連動して開き当該接続を可能とするとともに離脱動作に連動して閉じられて給電光の出射を遮るシャッターを有し、閉じられている時の当該シャッターの給電光の受光面が鏡面とされた光コネクタを給電光の出力端に有し、電力によりレーザー発振して給電光を出力する半導体レーザーを含む給電装置であって、前記半導体レーザーの光‐電気間の変換効果を奏する半導体領域を構成する半導体材料が、レーザー波長５００ｎｍ以下のレーザー媒体とされた給電装置、又は請求項２に記載の給電装置と、
当該給電装置による給電光を電力に変換する光電変換素子を含む受電装置と、
一端が前記給電装置に接続可能とされ他端が前記受電装置に接続可能とされ前記給電光を伝送する光ファイバーケーブルとを備え、
請求項１に記載の光コネクタを前記光ファイバーケーブルの前記他端に有する光ファイバー給電システム。
【請求項６】
前記シャッターから放射される戻り光を検出することによりコネクタ外れを検出し、前記給電光の出力を停止する制御装置を備える請求項４又は請求項５に記載の光ファイバー給電システム。
【請求項７】
接続動作に連動して開き当該接続を可能とするとともに離脱動作に連動して閉じられて給電光の出射を遮るシャッターを有し、閉じられている時の当該シャッターの給電光の受光面が鏡面とされた光コネクタを給電光の出力端に有し、電力によりレーザー発振して給電光を出力する半導体レーザーを含む給電装置であって、前記半導体レーザーの光‐電気間の変換効果を奏する半導体領域を構成する半導体材料が、レーザー波長５００ｎｍ以下のレーザー媒体とされた給電装置と、
当該給電装置による給電光を電力に変換する光電変換素子を含む受電装置と、
一端が前記給電装置に接続可能とされ他端が前記受電装置に接続可能とされ前記給電光を伝送する光ファイバーケーブルとを備え、
接続動作に連動して開き当該接続を可能とするとともに離脱動作に連動して閉じられて給電光の出射を遮るシャッターを有し、閉じられている時の当該シャッターの給電光の受光面が鏡面とされた光コネクタを前記光ファイバーケーブルの前記他端に有する光ファイバー給電システムであって、
前記シャッターから放射される戻り光を検出することによりコネクタ外れを検出し、前記給電光の出力を停止する制御装置を備える光ファイバー給電システム。
【請求項８】
接続動作に連動して開き当該接続を可能とするとともに離脱動作に連動して閉じられて給電光の出射を遮るシャッターを有し、閉じられている時の当該シャッターの給電光の受光面が鏡面とされた光コネクタ、又は請求項１に記載の光コネクタを給電光の出力端に有し、
前記シャッターから放射される戻り光を検出することによりコネクタ外れを検出し、前記給電光の出力を停止する制御装置を備える光ファイバー給電システム。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
被検者におけるがんの診断のための指標を提供する方法であって、
（ａ）前記被検者から得られた生体試料中の配列番号１で表されるヌクレオチド配列を有するＲＮＡの量を測定する工程、および
（ｂ）工程（ａ）で測定された測定値を、健常者から得られた同種の生体試料について同様に測定された前記ＲＮＡの量の測定値と比較する工程
を含んでなり、
工程（ａ）において測定される被検者についての測定値が健常者についての測定値よりも高い場合には、該被検者ががんに罹患していることが示され、工程（ａ）において測定される被検者についての測定値が健常者についての測定値よりも低いか、またはこれと同等である場合には、該被検者ががんに罹患していないことが示され、
前記がんが、乳がん、大腸がん、胃がん、肺がん、卵巣がん、膵臓がん、胆管がん、食道がん、肝臓がん、脳腫瘍、膀胱がん、前立腺がん、肉腫、子宮体がんおよび子宮肉腫からなる群から選択される少なくとも一種のがんである、方法。
【請求項２】
生体試料が血清である、請求項１に記載の方法。
【請求項３】
健常者についての測定値が、複数の健常者についての定量値に基づいて定められる適正範囲の上限値である、請求項１または２に記載の方法。
【請求項４】
生体試料中の前記ＲＮＡの量の測定が、核酸増幅法を用いて行われる、請求項１〜３のいずれか一項に記載の方法。
【請求項５】
前記核酸増幅法がＰＣＲ法である、請求項４に記載の方法。
【請求項６】
前記核酸増幅法がＬＡＭＰ法である、請求項４に記載の方法。
【請求項７】
前記ＬＡＭＰ法が、配列番号２〜６で表されるヌクレオチド配列をそれぞれ有するプライマーで構成されるプライマーセットを用いて行われる、請求項６に記載の方法。
【請求項８】
前記ＬＡＭＰ法が、配列番号２〜５および７で表されるヌクレオチド配列をそれぞれ有するプライマーで構成されるプライマーセットを用いて行われる、請求項６に記載の方法。
【請求項９】
前記ＲＮＡを既知のコピー数で含有する複数の試料に基づいて作成された検量線を用いることにより、生体試料中の前記ＲＮＡのコピー数が決定される、請求項１〜８のいずれか一項に記載の方法。
【請求項１０】
被検者におけるがんの診断のためのキットであって、前記被検者から得られた生体試料中の配列番号１で表されるヌクレオチド配列を有するＲＮＡの量を測定するための試薬を含んでなり、前記がんが、乳がん、大腸がん、胃がん、肺がん、卵巣がん、膵臓がん、胆管がん、食道がん、肝臓がん、脳腫瘍、膀胱がん、前立腺がん、肉腫、子宮体がんおよび子宮肉腫からなる群から選択される少なくとも一種のがんである、キット。
【請求項１１】
生体試料が血清である、請求項１０に記載のキット。
【請求項１２】
前記試薬が核酸増幅法のための試薬である、請求項１０または１１に記載のキット。
【請求項１３】
前記核酸増幅法がＰＣＲ法である、請求項１２に記載のキット。
【請求項１４】
前記核酸増幅法がＬＡＭＰ法である、請求項１２に記載のキット。
【請求項１５】
配列番号２〜６で表されるヌクレオチド配列をそれぞれ有するプライマーで構成されるプライマーセットを含む、請求項１４に記載のキット。
【請求項１６】
配列番号２〜５および７で表されるヌクレオチド配列をそれぞれ有するプライマーで構成されるプライマーセットを含む、請求項１４に記載のキット。
【請求項１７】
生体試料中の配列番号１で表されるヌクレオチド配列を有するＲＮＡの量を測定する方法であって、配列番号２〜６で表されるヌクレオチド配列をそれぞれ有するプライマーで構成されるプライマーセット、または配列番号２〜５および７で表されるヌクレオチド配列をそれぞれ有するプライマーで構成されるプライマーセットを用いたＬＡＭＰ法により核酸増幅を行うことを含んでなる、方法。
【請求項１８】
生体試料中の配列番号１で表されるヌクレオチド配列を有するＲＮＡの量を測定するためのキットであって、配列番号２〜６で表されるヌクレオチド配列をそれぞれ有するプライマーで構成されるプライマーセット、または配列番号２〜５および７で表されるヌクレオチド配列をそれぞれ有するプライマーで構成されるプライマーセットを含んでなる、キット。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
目標スクリーン・サイズに関連するスピーカー信号を生成する方法であって：
制作スクリーン・サイズに関連する音場を記述するエンコードされた高次アンビソニックス信号を含むビットストリームを受領する段階と；
前記エンコードされた高次アンビソニックス信号をデコードして、前記音場の優勢成分を表わすデコードされた高次アンビソニックス信号の第一の集合および前記音場の周囲成分を表わすデコードされた高次アンビソニックス信号の第二の集合を得る段階と；
デコードされた高次アンビソニックス信号の前記第一の集合およびデコードされた高次アンビソニックス信号の前記第二の集合を組み合わせて、デコードされた高次アンビソニックス信号の組み合わされた集合を生じる段階と；
デコードされた高次アンビソニックス信号の前記組み合わされた集合をレンダリングすることによって前記スピーカー信号を生成する段階であって、レンダリングは、前記制作スクリーン・サイズおよび前記目標スクリーン・サイズに応じて適応する、段階とを含み、前記レンダリングは、離間したサンプリング点位置の集合に基づく第一のモード行列を決定することを含み、前記レンダリングはさらに、デコードされた高次アンビソニックス信号の前記組み合わされた集合に変換行列を適用することを含み、前記変換行列は前記第一のモード行列および第二のモード行列に基づく、
方法。
【請求項２】
前記目標スクリーン・サイズまたは前記制作スクリーン・サイズを、基準聴取位置からの角度として受領する段階をさらに含み、前記角度は前記目標スクリーンの幅に関係する、請求項１に記載の方法。
【請求項３】
前記目標スクリーン・サイズまたは前記制作スクリーン・サイズを角度として受領する段階をさらに含み、前記角度は前記目標スクリーンの高さに関係する、請求項１に記載の方法。
【請求項４】
前記目標スクリーン・サイズまたは前記制作スクリーン・サイズを、第一の角度および第二の角度として受領する段階をさらに含み、前記第一の角度は前記目標スクリーンの幅に関係し、前記第二の角度は前記目標スクリーンの高さに関係する、請求項１に記載の方法。
【請求項５】
前記レンダリングは、前記目標スクリーン・サイズおよび前記制作スクリーン・サイズの比に応じて適応する、請求項１記載の方法。
【請求項６】
前記レンダリングは空間領域で実行される、請求項１記載の方法。
【請求項７】
デコードされた高次アンビソニックス信号の前記第二の集合が、デコードされた高次アンビソニックス信号の前記第一の集合のアンビソニックス次数より低いアンビソニックス次数をもつ、請求項１記載の方法。
【請求項８】
デコードされた高次アンビソニックス信号の前記第一の集合およびデコードされた高次アンビソニックス信号の前記第二の集合が(N＋1)2に等しいアンビソニックス次数（O）をもち、Nはそれぞれ前記第一の集合および第二の集合における高次アンビソニックス信号の数であり、デコードされた高次アンビソニックス信号の前記第二の集合が、デコードされた高次アンビソニックス信号の前記第一の集合のアンビソニックス次数より低いアンビソニックス次数をもつ、請求項１記載の方法。
【請求項９】
プロセッサによって実行されたときに請求項１記載の方法を実行する命令を含んでいる非一時的なコンピュータ可読媒体。
【請求項１０】
目標スクリーン・サイズに関連するスピーカー信号を生成する装置であって：
制作スクリーン・サイズに関連する音場を記述するエンコードされた高次アンビソニックス信号を含むビットストリームを取得する受領器と；
前記エンコードされた高次アンビソニックス信号をデコードして、前記音場の優勢成分を表わすデコードされた高次アンビソニックス信号の第一の集合および前記音場の周囲成分を表わすデコードされた高次アンビソニックス信号の第二の集合を得るオーディオ・デコーダと；
デコードされた高次アンビソニックス信号の前記第一の集合およびデコードされた高次アンビソニックス信号の前記第二の集合を統合して、デコードされた高次アンビソニックス信号の組み合わされた集合を生じる組み合わせ器と；
デコードされた高次アンビソニックス信号の前記組み合わされた集合をレンダリングすることによって前記スピーカー信号を生成する生成器であって、レンダリングは、前記制作スクリーン・サイズおよび前記目標スクリーン・サイズに応じて適応する、生成器とを有し、前記レンダリングは、離間したサンプリング点位置の集合に基づく第一のモード行列を決定することを含み、前記レンダリングはさらに、デコードされた高次アンビソニックス信号の前記組み合わされた集合に変換行列を適用することを含み、前記変換行列は少なくとも部分的には前記第一のモード行列および第二のモード行列から導出される、
装置。
【請求項１１】
前記受領器が、前記目標スクリーン・サイズまたは前記制作スクリーン・サイズを、基準聴取位置からの角度として受領するようさらに構成されており、前記角度は前記目標スクリーンの幅に関係する、請求項１０に記載の装置。
【請求項１２】
前記受領器が、前記目標スクリーン・サイズまたは前記制作スクリーン・サイズを角度として受領するようさらに構成されており、前記角度は前記目標スクリーンの高さに関係する、請求項１０に記載の装置。
【請求項１３】
前記受領器が、前記目標スクリーン・サイズまたは前記制作スクリーン・サイズを、第一の角度および第二の角度として受領するようさらに構成されており、前記第一の角度は前記目標スクリーンの幅に関係し、前記第二の角度は前記目標スクリーンの高さに関係する、請求項１０に記載の装置。
【請求項１４】
前記レンダリングは、前記目標スクリーン・サイズおよび前記制作スクリーン・サイズの比に応じて適応する、請求項１０記載の装置。
【請求項１５】
前記レンダリングは空間領域で実行される、請求項１０記載の装置。
【請求項１６】
デコードされた高次アンビソニックス信号の前記第二の集合が、デコードされた高次アンビソニックス信号の前記第一の集合のアンビソニックス次数より低いアンビソニックス次数をもつ、請求項１０記載の装置。
【請求項１７】
デコードされた高次アンビソニックス信号の前記第一の集合およびデコードされた高次アンビソニックス信号の前記第二の集合が(N＋1)2に等しいアンビソニックス次数（O）をもち、Nはそれぞれ前記第一の集合および第二の集合における高次アンビソニックス信号の数であり、デコードされた高次アンビソニックス信号の前記第二の集合が、デコードされた高次アンビソニックス信号の前記第一の集合のアンビソニックス次数より低いアンビソニックス次数をもつ、請求項１０記載の装置。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
少なくとも１つのデータプロセッサが、第１のクライアントデバイス上で実行している第１のゲームインスタンスから第１のゲーム状態データを捕捉することであって、前記第１のゲーム状態データは、デジタルゲームの第１の試合のゲーム内情報を特徴付け、前記第１の試合は、第１の複数のゲーム状態を有し、前記第１のゲーム状態データは、前記第１の試合の完了前に捕捉され、前記第１のゲーム状態データは、前記第１の試合中の複数の時間点における少なくとも１つのゲーム内オブジェクトの第１の値をさらに特徴付け、前記少なくとも１つのゲーム内オブジェクトは、前記第１のゲームインスタンスの内部にあり、前記第１のゲームインスタンスによって生成され、かつ、前記第１の試合の実行のために前記第１のゲームインスタンスによって使用される、ことと、
前記少なくとも１つのデータプロセッサが、第２のクライアントデバイス上で実行している第２のゲームインスタンスから第２のゲーム状態データを捕捉することであって、前記第２のゲーム状態データは、前記デジタルゲームの第２の試合のゲーム内情報を特徴付け、前記第２の試合は、前記第１の複数のゲーム状態とは異なる第２の複数のゲーム状態を有し、前記第２のゲーム状態データは、前記第２の試合中の前記複数の時間点における前記少なくとも１つのゲーム内オブジェクトの第２の値をさらに特徴付ける、ことと、
前記少なくとも１つのデータプロセッサが、前記第１のゲーム状態データから算出された前記第１の試合における第１のプレーヤの成績の第１の測定値を、前記第２のゲーム状態データから算出された前記第２の試合における第２のプレーヤの成績の第２の測定値と比較することと、
前記少なくとも１つのデータプロセッサが、前記比較に基づいて、前記第１の試合の第１のビデオ捕捉の一部または前記第２の試合の第２のビデオ捕捉の一部の少なくとも１つを識別することと、
前記少なくとも１つのデータプロセッサが、前記第１のビデオ捕捉の前記一部または前記第２のビデオ捕捉の前記一部の前記少なくとの１つを１つまたは複数の視聴クライアントデバイスに提供することと
を含む方法。
【請求項２】
識別することは、前記第１の試合または前記第２の試合中の少なくとも１つの時間期間におけるイベントを検出することを含む、請求項１に記載の方法。
【請求項３】
前記第１のビデオ捕捉の前記一部または前記第２のビデオ捕捉の前記一部の前記少なくとも１つは、前記検出されたイベントを含む、請求項２に記載の方法。
【請求項４】
提供することは、前記第１のビデオ捕捉の前記一部または前記第２のビデオ捕捉の前記一部の前記少なくとも１つを、ストリーミングのために提案されるブロードキャストに組み立てることを含む、請求項１に記載の方法。
【請求項５】
前記第１のゲーム状態データおよび前記第２のゲーム状態データは、周期的に捕捉される、請求項１に記載の方法。
【請求項６】
前記第１の試合のディスプレイの前記第１のクライアントデバイスから前記第１のビデオ捕捉を受信することと、
前記第２の試合のディスプレイの前記第２のクライアントデバイスから前記第２のビデオ捕捉を受信することと
をさらに含む、請求項１に記載の方法。
【請求項７】
前記第１のビデオ捕捉は、前記第１の試合の前記ディスプレイの第１のユーザインターフェーススクリーンショットを所定のレートで捕捉することによって生成され、前記第２のビデオ捕捉は、前記第２の試合の前記ディスプレイの第２のユーザインターフェーススクリーンショットを前記所定のレートで捕捉することによって生成される、請求項６に記載の方法。
【請求項８】
前記比較することは、所定の比較ルールを使用する、請求項１に記載の方法。
【請求項９】
前記第１の試合および前記第２の試合は、共通乱数シードで開始され、共通開始条件を提供する、請求項１に記載の方法。
【請求項１０】
前記デジタルゲームは、非同期ゲームを含む、請求項１に記載の方法。
【請求項１１】
少なくとも１つのデータプロセッサと、
命令を記憶するメモリと
を備えるシステムであって、前記命令は、前記少なくとも１つのデータプロセッサによって実行されると、請求項１〜１０のいずれか一項に記載の方法を実装することを前記少なくとも１つのデータプロセッサに行わせる、システム。
【請求項１２】
命令を記憶する媒体に記憶された非一過性コンピュータプログラムであって、少なくとも１つのコンピューティングシステムの少なくとも１つのデータプロセッサによって実行されると、請求項１〜１０のいずれか一項に記載の方法を実装する、非一過性コンピュータプログラム。
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
記憶部とプロセッサを備え、
前記記憶部は、１以上の会場ごとに開催可能な第１イベントに関する情報を含む会場情報を記憶し、
前記プロセッサは、第１ユーザが指定する第１イベントの開催時間に参加予定人数分の空間を確保可能な会場のうち前記第１ユーザに指定された会場と、前記第１ユーザに指定された第１イベントに関する情報とを含む、イベント情報を第２ユーザに提供可能に制御する、情報処理装置。
【請求項２】
前記イベント情報には、前記第１ユーザの属性又は前記第１ユーザが過去に開催した第２イベントに関する情報を含む、請求項１に記載の情報処理装置。
【請求項３】
前記プロセッサは、前記第１イベントへの参加を許可するためのデータを前記第２ユーザに提供する、請求項１又は２に記載の情報処理装置。
【請求項４】
前記プロセッサは、前記第１ユーザに指定された会場の会場費と参加予定人数とから、前記第１イベントへの参加費の最低金額を算出する、請求項１乃至３のいずれか１項に記載の情報処理装置。
【請求項５】
前記記憶部は、前記第２ユーザの属性又は過去のイベントへの参加履歴に関する情報を含む第２ユーザ情報を記憶し、
前記プロセッサは、前記第２ユーザ情報と前記イベント情報とに基づいて算出される値が所定の条件を満たす前記第２ユーザに対し、前記イベント情報を提供する、請求項１乃至４のいずれか１項に記載の情報処理装置。
【請求項６】
前記会場は複数の区域に区分され、
前記プロセッサは、前記参加予定人数分の空間を確保可能な区域を有する前記会場を検索する、請求項１乃至５のいずれか１項に記載の情報処理装置。
【請求項７】
前記会場は、複数の区域に区分され、
区域の各々は、前記第１イベントの対象となる競技で競い合う複数の競技者のうちのいずれかに対応している、請求項１乃至６のいずれか１項に記載の情報処理装置。
【請求項８】
前記第１イベントは、前記第１イベントの対象となる競技をスクリーンに上映して観戦するものであって、
前記区域の各々に前記スクリーンが配置されている、請求項６又は７に記載の情報処理装置。
【請求項９】
前記開催時間は、前記第１イベントの対象となる競技の競技時間の前後を含む所定の時間帯である、請求項１乃至８のいずれか１項に記載の情報処理装置。
【請求項１０】
コンピュータが、１以上の会場ごとに開催可能な第１イベントに関する情報を含む会場情報を記憶し、
コンピュータが、第１ユーザが指定する第１イベントの開催時間に参加予定人数分の空間を確保可能な会場のうち前記第１ユーザに指定された会場と、前記第１ユーザに指定された第１イベントに関する情報とを含む、イベント情報を第２ユーザに提供可能に制御する、情報処理方法。
【請求項１１】
１以上の会場ごとに開催可能な第１イベントに関する情報を含む会場情報を記憶するステップと、
第１ユーザが指定する第１イベントの開催時間に参加予定人数分の空間を確保可能な会場のうち前記第１ユーザに指定された会場と、前記第１ユーザに指定された第１イベントに関する情報とを含む、イベント情報を第２ユーザに提供可能に制御するステップと、をコンピュータに実行させるためのプログラム。
【手続補正書】
【提出日】令和3年8月19日(2021.8.19)
【手続補正１】
【補正対象書類名】明細書
【補正対象項目名】００１８
【補正方法】変更
【補正の内容】
【００１８】
また、前記ケース２０の前記内周部２１には接着剤が塗布されているため、前記第１，第２，第３分割ステータコア８０ａ，８０ｂ，８０ｃが前記ケース２０から脱落する可能性を低減することができる。さらに、前記ケース２０に前記第１，第２，第３分割ステータコア８０ａ，８０ｂ，８０ｃを圧入するときに発生する前記第１，第２，第３分割ステータコア８０ａ，８０ｂ，８０ｃの切粉が接着剤に付着するため、切粉の飛散が抑制され、切粉が前記ステータ構造１０の構成に付着して汚染する可能性を低減することができる。
【手続補正２】
【補正対象書類名】明細書
【補正対象項目名】００２４
【補正方法】変更
【補正の内容】
【００２４】
このように、前記第１，第２，第３分割ヨーク５０ａ，５０ｂ，５０ｃは接着剤を収容する前記第１，第２，第３溝部５２ａ，５２ｂ，５２ｃを有するため、前記ケース２３に前記第１，第２，第３分割ステータコア８０ａ，８０ｂ，８０ｃを圧入するときに余剰の接着剤が前記第１，第２，第３溝部５２ａ，５２ｂ，５２ｃに収容され、接着剤が前記ステータ構造１０の構成に付着して汚染する可能性を低減することができる。
【手続補正３】
【補正対象書類名】明細書
【補正対象項目名】００３６
【補正方法】変更
【補正の内容】
【００３６】
また、実施の形態１の前記第１，第２，第３突出磁極４０ａ，４０ｂ，４０ｃは前記第１，第２，第３分割ヨーク５０ａ，５０ｂ，５０ｃの周方向の中央に設けられていたが、周方向の左右に寄って設けられていてもよい。また、実施の形態２の前記第１，第２，第３突出磁極４０ａ，４０ｂ，４０ｃは、前記第１，第２，第３分割ヨーク５０ａ，５０ｂ，５０ｃの周方向の中央に設けられ、実施の形態３の前記第１，第２，第３突出磁極４０ａ，４０ｂ，４０ｃは、前記第１，第２，第３分割ヨーク５０ａ，５０ｂ，５０ｃの周方向の中央に設けられ、実施の形態４の前記第１，第２，第３突出磁極４０ａ，４０ｂ，４０ｃは、前記第１，第２，第３分割ヨーク５５ａ，５５ｂ，５５ｃの周方向の中央に設けられていたが、周方向の左右に寄って設けられていてもよい。
【手続補正４】
【補正対象書類名】明細書
【補正対象項目名】００３８
【補正方法】変更
【補正の内容】
【００３８】
なお、本発明によるステータ構造は、以下の通りである。すなわち平面で見てＴ字型を示す前記第１，第２，第３分割ステータコア８０ａ，８０ｂ，８０ｃからなる前記輪状ステータコア３０と、前記輪状ステータコア３０の外周を保持する前記ケース２０と、前記第１，第２，第３分割ステータコア８０ａ，８０ｂ，８０ｃの内方に向けて突出する前記第１，第２，第３突出磁極４０ａ，４０ｂ，４０ｃと、互いに隣り合う前記第１，第２，第３突出磁極４０ａ，４０ｂ，４０ｃを接続する前記第１，第２，第３分割ステータコア８０ａ，８０ｂ，８０ｃと、前記突出磁極４０ａ，４０ｂ，４０ｃを覆う前記第１，第２，第３絶縁キャップ６０ａ，６０ｂ，６０ｃとを有するステータ構造であって、前記輪状ステータコア３０は、前記ケース２０に接着剤により固定される構成であり、また、前記ケース２０又は前記第１，第２，第３分割ヨーク５０ａ，５０ｂ，５０ｃの少なくとも一方は、前記接着剤を収容する前記溝部２２又は前記第１，第２，第３溝部５２ａ，５２ｂ，５２ｃを有し、また、前記第１，第２，第３突出磁極４０ａ，４０ｂ，４０ｃと、前記第１，第２，第３分割ヨーク５０ａ，５０ｂ，５０ｃとは別体に形成されており、周方向において隣り合う前記第１，第２，第３分割ヨーク５５ａ，５５ｂ，５５ｃの間に、前記第１，第２，第３分割ヨーク５５ａ，５５ｂ，５５ｃ同士を接続する前記第１，第２，第３ヨーク片５６ａ，５６ｂ，５６ｃを追加して有する構成である。
【手続補正５】
【補正対象書類名】明細書
【補正対象項目名】００４０
【補正方法】変更
【補正の内容】
【００４０】
２０，２３                      ケース
２２                            溝部
３０                            輪状ステータコア
４０ａ，４０ｂ，４０ｃ          第１，第２，第３突出磁極
５０ａ，５０ｂ，５０ｃ          第１，第２，第３分割ヨーク
５２ａ，５２ｂ，５２ｃ          第１，第２，第３溝部
５５ａ，５５ｂ，５５ｃ          第１，第２，第３分割ヨーク
５６ａ，５６ｂ，５６ｃ          第１，第２，第３ヨーク片
６０ａ，６０ｂ，６０ｃ          絶縁キャップ
８０ａ，８０ｂ，８０ｃ          第１，第２，第３分割ステータコア
【手続補正６】
【補正対象書類名】特許請求の範囲
【補正対象項目名】請求項３
【補正方法】変更
【補正の内容】
【請求項３】
前記突出磁極（４０）と、前記分割ヨーク（５０）とは別体に形成されていることを特徴とする請求項１又は２に記載のステータ構造。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
連続相と分散相とからなる層を少なくとも１層有し、下記（Ａ）〜（Ｃ）を満たす農業用フィルム；
（Ａ）当該フィルム表面に対して垂直方向、且つ当該フィルム面内の遅相軸と平行方向に切断した断面において、前記分散相のうち円相当径が１μｍ以上１０μｍ以下である分散相の断面の面積の比率が、前記層の断面の面積に対して１％以上３０％以下、
（Ｂ）複屈折率Δｎが１．１５×１０−３以下、
（Ｃ）前記連続相は、熱可塑性樹脂を含む。
【請求項２】
下記（Ｄ）を満たす請求項１に記載の農業用フィルム；
（Ｄ）前記分散相に含まれる成分の屈折率は、１．４４以上１．６５以下である。
【請求項３】
４０℃におけるヘイズ値が１５％以上である、請求項１又は２に記載の農業用フィルム。
【請求項４】
２３℃、５００ｍｍ／分におけるＭＤ方向の引張破断伸びが５５０％以上である、請求項１〜３のいずれか一項に記載の農業用フィルム。
【請求項５】
請求項１〜４のいずれか一に記載の農業用フィルムが農園芸用施設フレームに展張された農園芸用施設。
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
所定の静止画像や動画を表示可能な演出表示装置と、
前記遊技の進行に伴って実行される遊技演出に関連して発光可能な発光体と、
該発光体が表実装面に実装される発光基板と、
該発光基板が設けられて遊技盤に配置されるとともに、所定の基準位置と所定の基準位置よりも前記演出表示装置の表示面中央側に移動可能である動作位置とに動作可能な可動装飾体と、
該可動装飾体を動作させる可動手段と、
前記可動装飾体の位置を検出する位置検出手段と、を備え、
前記発光基板の前記表実装面には、白色塗膜が形成されると共に、該白色塗膜上に黄色で形成されて前記発光体を特定可能にする表記部が形成され、
前記白色塗膜による白色が前記発光基板の表実装面を占有する白色占有割合は、前記表記部による黄色が当該発光基板の表実装面を占有する黄色占有割合と比べて大きくされ、
前記可動手段は、前記可動装飾体が前記基準位置にない場合に、当該可動装飾体を前記基準位置に戻すことが可能である、
ことを特徴とする遊技機。
【手続補正２】
【補正対象書類名】明細書
【補正対象項目名】０００７
【補正方法】変更
【補正の内容】
【０００７】
上記した目的を達成するために、本発明においては、
所定条件の成立に基づいて抽選を行う抽選手段と、
該抽選手段による前記抽選の結果に応じて遊技の進行を制御する遊技制御手段と、
所定の静止画像や動画を表示可能な演出表示装置と、
前記遊技の進行に伴って実行される遊技演出に関連して発光可能な発光体と、
該発光体が表実装面に実装される発光基板と、
該発光基板が設けられて遊技盤に配置されるとともに、所定の基準位置と所定の基準位置よりも前記演出表示装置の表示面中央側に移動可能である動作位置とに動作可能な可動装飾体と、
該可動装飾体を動作させる可動手段と、
前記可動装飾体の位置を検出する位置検出手段と、を備え、
前記発光基板の前記表実装面には、白色塗膜が形成されると共に、該白色塗膜上に黄色で形成されて前記発光体を特定可能にする表記部が形成され、
前記白色塗膜による白色が前記発光基板の表実装面を占有する白色占有割合は、前記表記部による黄色が当該発光基板の表実装面を占有する黄色占有割合と比べて大きくされ、
前記可動手段は、前記可動装飾体が前記基準位置にない場合に、当該可動装飾体を前記基準位置に戻すことが可能である、
ことを特徴とする。
【手続補正書】
【提出日】令和3年2月23日(2021.2.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による操作対象とされる操作手段と、
前記操作手段に対する操作受付が許容される受付演出状態を実行可能であり、該受付演出状態で操作受付されたことに基づいて演出変化を生じさせる受付演出実行手段と、
前記操作手段を摸した摸画像、及び前記操作手段に対する操作受付が許容される残り時間を示唆する特定画像を、動画像として表示可能な画像表示手段と
を備え、
遊技者による操作がなくても操作受付があったときと同じ演出変化を生じさせる場合がある遊技機であって、
前記受付演出状態には、
前記操作手段に対する操作受付が第１受付有効時間にわたって許容される第１受付演出状態、及び
前記操作手段に対する操作受付が前記第１受付有効時間よりも長い第２受付有効時間にわたって許容される第２受付演出状態
が含まれており、
前記摸画像及び前記特定画像は、前記第１受付演出状態及び前記第２受付演出状態のいずれにおいても動画像として表示されるようになっており、
前記摸画像を表示する場合、前記第１受付演出状態及び前記第２受付演出状態のいずれにおいても、予め定められた所定摸画像を最初に表示される画像として表示し、それ以降は予め定められた順序及び予め定められた進展態様により複数の摸画像が順次表示されることによる動画像として表示され、
前記特定画像は、前記第１受付演出状態において表示される場合、前記第２受付演出状態において表示されるときよりも速い態様で進展する動画像として表示されるようになっており、
さらに、
前記受付演出状態の発生に際しては、前記操作手段に対する操作受付が許容されるタイミングよりも前から特定の前演出表示が表示される場合があり、該特定の前演出表示は、前記操作手段に対する操作受付が許容されるタイミングを跨るかたちで表示可能とされており、
前記受付演出状態において前記特定の前演出表示が表示されているときに操作受付がなされた場合、該特定の前演出表示は、該操作受付に応じた演出変化が出現開始される時点で非表示の状態にされておらず表示されており、該演出変化が行われているなかで非表示の状態にされる
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
遊技者による操作対象とされる操作手段と、
前記操作手段に対する操作受付が許容される受付演出状態を実行可能であり、該受付演出状態で操作受付されたことに基づいて演出変化を生じさせる受付演出実行手段と、
前記操作手段を摸した摸画像、及び前記操作手段に対する操作受付が許容される残り時間を示唆する特定画像を、動画像として表示可能な画像表示手段と
を備え、
遊技者による操作がなくても操作受付があったときと同じ演出変化を生じさせる場合がある遊技機であって、
前記受付演出状態には、
前記操作手段に対する操作受付が第１受付有効時間にわたって許容される第１受付演出状態、及び
前記操作手段に対する操作受付が前記第１受付有効時間よりも長い第２受付有効時間にわたって許容される第２受付演出状態
が含まれており、
前記摸画像及び前記特定画像は、前記第１受付演出状態及び前記第２受付演出状態のいずれにおいても動画像として表示されるようになっており、
前記摸画像を表示する場合、前記第１受付演出状態及び前記第２受付演出状態のいずれにおいても、予め定められた所定摸画像を最初に表示される画像として表示し、それ以降は予め定められた順序及び予め定められた進展態様により複数の摸画像が順次表示されることによる動画像として表示され、
前記特定画像は、前記第１受付演出状態において表示される場合、前記第２受付演出状態において表示されるときよりも速い態様で進展する動画像として表示されるようになっており、
さらに、
前記受付演出状態の発生に際しては、前記操作手段に対する操作受付が許容されるタイミングよりも前から特定の前演出表示が表示される場合があり、該特定の前演出表示は、前記操作手段に対する操作受付が許容されるタイミングを跨るかたちで表示可能とされており、
前記受付演出状態において前記特定の前演出表示が表示されているときに操作受付がなされた場合、該特定の前演出表示は、該操作受付に応じた演出変化が出現開始される時点で非表示の状態にされておらず表示されており、該演出変化が行われているなかで非表示の状態にされる
ことを特徴とする遊技機。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
タッチパネルディスプレイに表示されている出発点から所定条件に基づき移動可能な移動経路のうち、前記タッチパネルディスプレイにおける指示体の接触位置に基づく基準位置からの移動位置に応じた移動経路を前記タッチパネルディスプレイに表示させる表示制御手段を備える、情報処理装置。
【請求項２】
前記表示制御手段は、前記基準位置からの前記移動位置に応じて、前記出発点から到達点までの経路を示す移動経路を表示させる、請求項１記載の情報処理装置。
【請求項３】
前記移動経路は、前記出発点に位置する第１オブジェクトが移動可能な経路であり、
前記移動経路の決定後に前記第１オブジェクトの移動量を決定する移動量決定手段を備える、請求項１又は請求項２記載の情報処理装置。
【請求項４】
前記移動量決定手段は、前記移動経路が示す出発点から到達点までのいずれかの位置に移動させる移動量を複数の中から選択する、請求項３記載の情報処理装置。
【請求項５】
前記表示制御手段は、前記基準位置と前記移動位置とを結ぶ直線に基づく方向指示画像を前記タッチパネルディスプレイに表示させ、前記方向指示画像の向きに応じた移動経路を前記タッチパネルディスプレイに表示させる、請求項１から請求項４の何れか１項記載の情報処理装置。
【請求項６】
前記指示体が前記タッチパネルディスプレイから離間したときに表示されている移動経路を、ユーザが選択した移動経路として決定する移動経路決定手段を備える、請求項１から請求項５の何れか１項記載の情報処理装置。
【請求項７】
前記表示制御手段は、前記指示体が前記タッチパネルディスプレイに接触してから離間するまでの間、前記基準位置からの前記指示体の移動位置に応じて、複数の移動経路の中から選択される移動経路を表示させる、請求項６記載の情報処理装置。
【請求項８】
前記表示制御手段は、出発点から移動可能な移動経路のうち、ユーザに指定された位置を含む移動経路を表示させる、請求項１から請求項７の何れか１項記載の情報処理装置。
【請求項９】
前記表示制御手段は、複数の異なる数字が表示される第２オブジェクトを前記タッチパネルディスプレイに表示させ、
前記移動量決定手段は、前記第１オブジェクトの移動経路の決定後に前記第２オブジェクトの数字の表示状態の変化を開始させ、前記第２オブジェクトの表示状態の変化が停止した場合に示される前記数字に基づいて前記第１オブジェクトの移動量を決定する、請求項３又は請求項４記載の情報処理装置。
【請求項１０】
前記表示制御手段は、複数の前記第２オブジェクトを前記タッチパネルディスプレイに表示させ、
前記移動量決定手段は、複数の前記第２オブジェクトのうちから選択された前記第２オブジェクトが示す前記数字に基づいて前記第１オブジェクトの移動量を決定する、請求項９記載の情報処理装置。
【請求項１１】
コンピュータが、タッチパネルディスプレイに表示されている出発点から所定条件に基づき移動可能な移動経路のうち、前記タッチパネルディスプレイにおける指示体の接触位置に基づく基準位置からの移動位置に応じた移動経路を前記タッチパネルディスプレイに表示させる、情報処理方法。
【請求項１２】
タッチパネルディスプレイに表示されている出発点から所定条件に基づき移動可能な移動経路のうち、前記タッチパネルディスプレイにおける指示体の接触位置に基づく基準位置からの移動位置に応じた移動経路を前記タッチパネルディスプレイに表示させる処理を、コンピュータに実行させる、プログラム。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
超音波が互いに干渉するようにマトリクス状に配置された複数の振動子と、
前記複数の振動子のぞれぞれと受信回路を介して接続されるメモリ回路と、
前記メモリ回路からデータを読み出して画像処理を行う画像処理回路と、
前記画像処理回路から出力される情報を表示する表示部と、を有し、
前記振動子の間隔は、前記超音波の波長の１周期分の距離と等しく、
前記メモリ回路は、酸化物半導体を有するトランジスタと、前記トランジスタと電気的に接続する容量と、を有する超音波診断装置。
【請求項２】
超音波の１周期分の間隔で配置された２個以上の振動子を有するプローブと、
前記２個以上の振動子のぞれぞれと受信回路を介して接続される複数のメモリ回路と、を有し、
前記振動子で受信した前記超音波はアナログデータであり、その前記アナログデータを前記振動子と対応する前記メモリ回路に保持し、
前記メモリ回路は、酸化物半導体を有するトランジスタと、前記トランジスタと電気的に接続する容量と、を有する超音波診断装置。
【請求項３】
請求項２において、
前記２個以上の振動子のうち、一つの前記振動子から出力される電圧を時間毎に区切って複数のメモリ回路にアナログデータを保持する超音波診断装置。
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
前側胴部と後側胴部とこれらの間に位置する股部を有し、前側胴部と後側胴部とが接合されることによりウェスト開口部と一対の脚開口部とを有するパンツ形状に形成された外装部材と、
外装部材の少なくとも股部に設けられ、トップシートとバックシートとこれらの間に配された吸収体を有する吸収性本体とを有する使い捨ておむつであって、
外装部材は内側シートと外側シートを有し、内側シートと外側シートの間に、股部を横断し、脚開口部の前側の縁に沿って延びる前側脚部弾性部材と、股部を横断し、脚開口部の後側の縁に沿って延びる後側脚部弾性部材とが設けられ、
吸収性本体は外装部材の肌面側に第１接着領域で接着され、
内側シートと外側シートは第２接着領域で互いに接着され、第２接着領域は、股部に設けられた第２中間接着領域と、第２中間接着領域よりも前側に設けられた第２前側接着領域と、第２中間接着領域よりも後側に設けられた第２後側接着領域とを有し、第２中間接着領域において、前側脚部弾性部材と後側脚部弾性部材が股部を横断して設けられ、
第２中間接着領域は、少なくとも一部が第１接着領域と重なって設けられるともに、吸収性本体の幅方向の一方側縁から他方側縁にかけて連続的に設けられ、
第２前側接着領域が下記要件Ａを満たすように設けられている、および／または、第２後側接着領域が下記要件Ｂを満たすように設けられていることを特徴とする使い捨ておむつ。
（要件Ａ）
第２前側接着領域は、少なくとも一部が第１接着領域と重なって設けられるとともに、吸収性本体の幅方向の一方側縁から他方側縁にかけて断続的に設けられ、これにより、第２中間接着領域よりも前側の吸収性本体と重なる部分に、内側シートと外側シートとが接着されない第２前側非接着領域が形成され、
第２前側非接着領域は、第２前側接着領域が形成される前後方向の範囲の全体にわたって、前後方向に連続的に形成され、
第２前側接着領域は、第１接着領域の幅方向の一方側縁と他方側縁と重なって設けられている。
（要件Ｂ）
第２後側接着領域は、少なくとも一部が第１接着領域と重なって設けられるとともに、吸収性本体の幅方向の一方側縁から他方側縁にかけて断続的に設けられ、これにより、第２中間接着領域よりも後側の吸収性本体と重なる部分に、内側シートと外側シートとが接着されない第２後側非接着領域が形成され、
第２後側非接着領域は、第２後側接着領域が形成される前後方向の範囲の全体にわたって、前後方向に連続的に形成され、
第２後側接着領域は、第１接着領域の幅方向の一方側縁と他方側縁と重なって設けられている。
【請求項２】
前側脚部弾性部材と後側脚部弾性部材は、第２中間接着領域で股部を断続的に横断して設けられている請求項１に記載の使い捨ておむつ。
【請求項３】
第２中間接着領域は、吸収性本体の幅方向の一方側縁および他方側縁から幅方向の外方に、外装部材の外縁まで延在して設けられている請求項１または２に記載の使い捨ておむつ。
【請求項４】
第２前側接着領域は、吸収性本体の前側縁よりも前方に延在して設けられている、および／または、
第２後側接着領域は、吸収性本体の後側縁よりも後方に延在して設けられている請求項１〜３のいずれか一項に記載の使い捨ておむつ。
【請求項５】
第２前側接着領域は、吸収性本体の幅方向の一方側縁および他方側縁から幅方向の外方に延在し、前側脚部弾性部材と重なって設けられるとともに、前側脚部弾性部材よりも前方に延在している、および／または、
第２後側接着領域は、吸収性本体の幅方向の一方側縁および他方側縁から幅方向の外方に延在し、後側脚部弾性部材と重なって設けられるとともに、後側脚部弾性部材よりも後方に延在している請求項１〜４のいずれか一項に記載の使い捨ておむつ。
【請求項６】
前側胴部と後側胴部には、内側シートと外側シートの間に、幅方向に延びる胴部弾性部材が設けられ、
第２前側接着領域および／または第２後側接着領域は胴部弾性部材から離間して設けられ、第２前側接着領域および／または第２後側接着領域と胴部弾性部材との間に、内側シートと外側シートが接着されない非接着領域が形成されている請求項１〜５のいずれか一項に記載の使い捨ておむつ。
【請求項７】
第１接着領域が第２前側接着領域と重なる部分の幅方向の一方側縁から他方側縁までの長さをＷＡ１、第２前側非接着領域の幅方向の長さをＷＡ２としたとき、ＷＡ２／ＷＡ１の値が０．１５以上０．９０以下である、および／または、
第１接着領域が第２後側接着領域と重なる部分の幅方向の一方側縁から他方側縁までの長さをＷＢ１、第２後側非接着領域の幅方向の長さをＷＢ２としたとき、ＷＢ２／ＷＢ１の値が０．１５以上０．９０以下である請求項１〜６のいずれか一項に記載の使い捨ておむつ。
【請求項８】
第２前側非接着領域の幅方向の長さは、第２後側非接着領域の幅方向の長さよりも長い請求項１〜７のいずれか一項に記載の使い捨ておむつ。
【請求項９】
第２前側接着領域および／または第２後側接着領域は、第２中間接着領域よりも剛軟度が高い請求項１〜８のいずれか一項に記載の使い捨ておむつ。
【請求項１０】
第１接着領域は、幅方向に断続的に設けられた複数の第２前側接着領域に跨がって、幅方向に連続的に設けられている、および／または、
第１接着領域は、幅方向に断続的に設けられた複数の第２後側接着領域に跨がって、幅方向に連続的に設けられている請求項１〜９のいずれか一項に記載の使い捨ておむつ。
【請求項１１】
第１接着領域は幅方向に断続的に設けられ、隣接する第１接着領域の間に吸収性本体が外装部材と接着されない第１非接着領域が形成され、
第２前側非接着領域および／または第２後側非接着領域は、第１非接着領域と重なって設けられている請求項１〜９のいずれか一項に記載の使い捨ておむつ。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
家畜の分娩を検知する検知装置であって、
前記家畜に装着された三軸加速度センサが測定した加速度データを記憶する記憶手段と、
所定の時間の間における複数の加速度データにそれぞれ含まれる所定の方向の成分値を前記記憶手段から取得する取得手段と、
前記複数の成分値に基づいて、前記家畜の分娩を検知する検知手段と、
を有することを特徴とする検知装置。
【請求項２】
前記複数の成分値のうち、局所的に最大となる成分値又は局所的に最小となる成分値を示すピークの数を計算する第１のピーク数計算手段と、
過去の所定の期間における前記ピークの数の合計を活動量として計算する活動量計算手段と、
前記活動量計算手段により計算された過去の活動量を用いて、所定の指標値を計算する指標値計算手段と、
前記活動量と前記指標値との大小関係を比較判定する比較手段と、
前記活動量が前記指標値よりも大きいと判定された場合、前記活動量と前記指標値との差を累積した累積値を計算する累積値計算手段と、
を有し
前記検知手段は、
前記累積値が所定の第１の閾値以上である場合に、前記家畜の分娩を検知する、ことを特徴とする請求項１に記載の検知装置。
【請求項３】
前記指標値計算手段は、
前記過去の活動量の平均値と、前記過去の活動量の標準偏差と、所定の定数とを用いて、前記標準偏差と前記定数との積に対して前記平均値を加算することで、前記指標値を計算する、ことを特徴とする請求項２に記載の検知装置。
【請求項４】
前記累積値計算手段は、
前記活動量が前記指標値よりも大きいと判定されなかった場合、前記累積値を０にクリアする、ことを特徴とする請求項２又は３に記載の検知装置。
【請求項５】
前記複数の成分値のうち、局所的に最大となる成分値及び局所的に最小となる成分値であって、かつ、所定の条件を満たす成分値を示すピークの数を計算する第２のピーク数計算手段を有し、
前記検知手段は、
前記ピークの数が所定の数以上、かつ、前記複数の成分値の平均値が所定の第２の閾値以上又は第３の閾値以下である場合に、前記家畜の分娩を検知する、ことを特徴とする請求項１に記載の検知装置。
【請求項６】
前記所定の条件は、
前記局所的に最大となる成分値と、前記局所的に最小となる成分値とを前記ピークの候補とした場合に、１つ前の候補との差が所定の値以下である、ことを特徴とする請求項５に記載の検知装置。
【請求項７】
家畜の分娩を検知する検知装置であって、
前記家畜に装着された三軸加速度センサが測定した加速度データを記憶する記憶手段と、
所定の時間の間における複数の加速度データにそれぞれ含まれる所定の方向の成分値を前記記憶手段から取得する取得手段と、
前記複数の成分値に基づいて、前記家畜の分娩を検知する検知手段と、
前記検知手段による検知結果を、所定の端末に通知する通知手段と、
を有することを特徴とする検知装置。
【請求項８】
家畜の分娩を検知する検知装置が、
前記家畜に装着された三軸加速度センサが測定した加速度データを記憶手段に記憶させる記憶手順と、
所定の時間の間における複数の加速度データにそれぞれ含まれる所定の方向の成分値を前記記憶手段から取得する取得手順と、
前記複数の成分値に基づいて、前記家畜の分娩を検知する検知手順と、
を実行することを特徴とする検知方法。
【請求項９】
コンピュータを、請求項１乃至７の何れか一項に記載の検知装置における各手段として機能させるためのプログラム。